(57)【要約】【課題】セカンダリセルにおけるアップリンク制御チャネルの送信がサポートされている無線通信システムにおいて、複数のセルでアップリンク制御チャネルを同時送信するための技術を提供することである。【解決手段】本発明の一態様は、キャリアアグリゲーションにより設定された複数のセルを介し基地局と無線チャネルを送受信する送受信部と、前記複数のセルでアップリンク制御チャネルを同時送信するイベントの発生に応答して、前記複数のセルでアップリンク制御チャネルが同時送信可能か判定する同時送信可否判定部と、前記複数のセルでアップリンク制御チャネルが同時送信可能である場合、前記複数のセルでアップリンク制御チャネルを同時送信するよう前記送受信部に指示し、前記複数のセルでアップリンク制御チャネルが同時送信可能でない場合、セル種別に応じた送信優先度に従って前記アップリンク制御チャネルの送信を制御する送信制御部とを有するユーザ装置に関する。【選択図】図３
2015142349.tif 000002
【特許請求の範囲】
【請求項１】
キャリアアグリゲーションにより設定された複数のセルを介し基地局と無線チャネルを送受信する送受信部と、
前記複数のセルでアップリンク制御チャネルを同時送信するイベントの発生に応答して、前記複数のセルでアップリンク制御チャネルが同時送信可能か判定する同時送信可否判定部と、
前記複数のセルでアップリンク制御チャネルが同時送信可能である場合、前記複数のセルでアップリンク制御チャネルを同時送信するよう前記送受信部に指示し、前記複数のセルでアップリンク制御チャネルが同時送信可能でない場合、セル種別に応じた送信優先度に従って前記アップリンク制御チャネルの送信を制御する送信制御部と、
を有するユーザ装置。
【請求項２】
前記送信制御部は、前記セルのセル種別がプライマリセル、Ｓｐｅｃｉａｌセカンダリセル及びセカンダリセルの何れであるか判定するセル種別判定部を有し、
前記送信制御部は、プライマリセル、Ｓｐｅｃｉａｌセカンダリセル及びセカンダリセルの順序の送信優先度に従って、前記判定の結果に応じて前記判定されたセルにおける前記アップリンク制御チャネルの送信を制御する、請求項１記載のユーザ装置。
【請求項３】
前記送信制御部は、前記複数のセルのそれぞれに対して決定されたセル種別に基づく送信優先度に従って、より高い送信優先度のセルに対して相対的に大きな送信電力を割り当て、より低い送信優先度のセルに対して相対的に小さな送信電力を割り当てるか、又は前記より低い送信優先度のセルにおける前記アップリンク制御チャネルの送信を中止する、請求項２記載のユーザ装置。
【請求項４】
前記送信制御部は、前記より低い送信優先度のセルにおいて送信されるアップリンク制御チャネルが重複するシンボルを含む場合、前記重複するシンボルを含むスロットの送信電力を低減する、請求項３記載のユーザ装置。
【請求項５】
キャリアアグリゲーションにより設定された複数のセルを介し基地局と無線チャネルを送受信するユーザ装置における送信制御方法であって、
前記複数のセルでアップリンク制御チャネルを同時送信するイベントの発生を検出するステップと、
前記複数のセルでアップリンク制御チャネルが同時送信可能か判定するステップと、
前記複数のセルでアップリンク制御チャネルが同時送信可能である場合、前記複数のセルでアップリンク制御チャネルを同時送信し、前記複数のセルでアップリンク制御チャネルが同時送信可能でない場合、セル種別に応じた送信優先度に従って前記アップリンク制御チャネルの送信を制御するステップと、
を有する送信制御方法。
【請求項６】
キャリアアグリゲーションにより設定された複数のセルを介し基地局と無線チャネルを送受信する送受信部と、
前記複数のセルでアップリンク制御チャネルを同時送信するイベントの発生に応答して、前記複数のセルでアップリンク制御チャネルが同時送信可能か判定する同時送信可否判定部と、
前記複数のセルでアップリンク制御チャネルが同時送信可能である場合、前記複数のセルでアップリンク制御チャネルを同時送信するよう前記送受信部に指示し、前記複数のセルでアップリンク制御チャネルが同時送信可能でない場合、複信方式に応じた送信優先度に従って前記アップリンク制御チャネルの送信を制御する送信制御部と、
を有するユーザ装置。
【請求項７】
前記送信制御部は、前記セルの複信方式が周波数分割多重（ＦＤＤ）方式及び時分割多重（ＴＤＤ）方式の何れであるか判定する複信方式判定部を有し、
前記送信制御部は、前記判定の結果に応じて前記判定されたセルにおける前記アップリンク制御チャネルの送信を制御する、請求項６記載のユーザ装置。
【請求項８】
前記送信制御部は、前記ＴＤＤ方式が適用されているセルについて、前記セルのＴＤＤ  ｃｏｎｆｉｇｕｒａｔｉｏｎにより規定されるアップリンク送信タイミングの多寡に応じて前記送信優先度を調整する、請求項７記載のユーザ装置。
【請求項９】
前記送信制御部は、前記複数のセルのそれぞれに対して決定された複信方式に基づく送信優先度に従って、より高い送信優先度のセルに対して相対的に大きな送信電力を割り当て、より低い送信優先度のセルに対して相対的に小さな送信電力を割り当てるか、又は前記より低い送信優先度のセルにおける前記アップリンク制御チャネルの送信を中止する、請求項７又は８記載のユーザ装置。
【請求項１０】
前記送信制御部は、前記より低い送信優先度のセルにおいて送信されるアップリンク制御チャネルが重複するシンボルを含む場合、前記重複するシンボルを含むスロットの送信電力を低減する、請求項９記載のユーザ装置。
【請求項１１】
キャリアアグリゲーションにより設定された複数のセルを介し基地局と無線チャネルを送受信するユーザ装置における送信制御方法であって、
前記複数のセルでアップリンク制御チャネルを同時送信するイベントの発生を検出するステップと、
前記複数のセルでアップリンク制御チャネルが同時送信可能か判定するステップと、
前記複数のセルでアップリンク制御チャネルが同時送信可能である場合、前記複数のセルでアップリンク制御チャネルを同時送信し、前記複数のセルでアップリンク制御チャネルが同時送信可能でない場合、複信方式に応じた送信優先度に従って前記アップリンク制御チャネルの送信を制御するステップと、
を有する送信制御方法。
【発明の詳細な説明】
【技術分野】
【０００１】
本発明は、キャリアアグリゲーションを利用した無線通信システムに関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａｄｖａｎｃｅｄの標準化を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）とが設定される。
【０００４】
プライマリセルは、ＬＴＥシステムのサービングセルと同様のセルであり、ユーザ装置とネットワークとの間の接続性を担保するためのセルである。すなわち、プライマリセルでは、ユーザ装置は、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）を受信し、ＰＲＡＣＨ（Ｐｈｙｓｉｃａｌ  Ｒａｎｄｏｍ  Ａｃｃｅｓｓ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）及びＳＲＳ（Ｓｏｕｎｄｉｎｇ  Ｒｅｆｅｒｅｎｃｅ  Ｓｙｍｂｏｌ）を送信することが可能である。また、プライマリセルを変更する場合、ユーザ装置は、ハンドオーバを実行する必要がある。他方、セカンダリセルは、プライマリセルに追加されてユーザ装置に設定されるセルである。セカンダリセルの追加及び削除は、ＲＲＣ（Ｒａｄｉｏ  Ｒｅｓｏｕｒｃｅ  Ｃｏｎｔｒｏｌ）のコンフィギュレーション（Ｃｏｎｆｉｇｕｒａｔｉｏｎ）により実行される。
【先行技術文献】
【非特許文献】
【０００５】
【非特許文献１】3GPP TS 36.213 V.11.0.0 (2012-09)
【発明の概要】
【発明が解決しようとする課題】
【０００６】
現在のキャリアアグリゲーションでは、上述したＰＲＡＣＨ、ＰＵＣＣＨ、ＰＵＳＣＨ及びＳＲＳのアップリンク無線チャネルのうち、ＰＲＡＣＨ、ＰＵＳＣＨ及びＳＲＳは、プライマリセルとセカンダリセルの双方において送信されることがサポートされている。この場合、ユーザ装置は、プライマリセルとセカンダリセルとにおいてＰＲＡＣＨ、ＰＵＳＣＨ及びＳＲＳを同時に送信することが可能である。
【０００７】
Ｒｅｌ−１１までのキャリアアグリゲーションでは、ＰＵＣＣＨを送信するＣＣは常に１つであることが規定されている。一方で、Ｒｅｌ−１２においては、複数のＣＣにおけるＰＵＣＣＨの送信をサポートすることが検討されている。すなわち、ＰＵＣＣＨはプライマリセルのみで送信され、セカンダリセルを介したＰＵＣＣＨの送信は規定されていない。このため、特定のセルをプライマリセルとするユーザ装置が多数存在すると、当該セルにおけるＰＵＣＣＨの容量の制約のため、当該プライマリセルに接続可能なユーザ装置の個数は制限されることになる。
【０００８】
また、現在検討されている基地局間キャリアアグリゲーション（Ｉｎｔｅｒ−ｅＮＢ  ＣＡ）では、基地局毎にスケジューリングが行われるため、ユーザ装置に設定されているセル毎にＰＵＣＣＨが送信される必要がある。このため、プライマリセルだけでなくセカンダリセルにおいてもＰＵＣＣＨの送信をサポートすることが検討されている。
【０００９】
しかしながら、上述した複数のセルでのＰＵＣＣＨの同時送信が無線通信システムにおいてサポートされたとしても、ユーザ装置が、複数のセルでＰＵＣＣＨを同時送信することができるとは限らない。例えば、ユーザ装置がアップリンク同時送信機能をサポートしていない場合、ユーザ装置は、複数のセルでＰＵＣＣＨを同時送信することはできない。あるいは、ユーザ装置がセル端にいる場合など、ユーザ装置がアップリンク同時送信を実行するのに十分な送信電力を確保できない場合、アップリンク同時送信は実行できない。
【００１０】
このようなユーザ装置が複数のセルでＰＵＣＣＨを同時送信することができない場合、送信対象のＰＵＣＣＨを送信するセルに優先順位を設定し、当該優先順位に従ってＰＵＣＣＨの送信を制御することが考えられる。
【００１１】
上記問題点に鑑み、本発明の一課題は、セカンダリセルにおけるアップリンク制御チャネルの送信がサポートされている無線通信システムにおいて、複数のセルでアップリンク制御チャネルを同時送信するための技術を提供することである。
【課題を解決するための手段】
【００１２】
上記課題を解決するため、本発明の一態様は、キャリアアグリゲーションにより設定された複数のセルを介し基地局と無線チャネルを送受信する送受信部と、前記複数のセルでアップリンク制御チャネルを同時送信するイベントの発生に応答して、前記複数のセルでアップリンク制御チャネルが同時送信可能か判定する同時送信可否判定部と、前記複数のセルでアップリンク制御チャネルが同時送信可能である場合、前記複数のセルでアップリンク制御チャネルを同時送信するよう前記送受信部に指示し、前記複数のセルでアップリンク制御チャネルが同時送信可能でない場合、セル種別に応じた送信優先度に従って前記アップリンク制御チャネルの送信を制御する送信制御部とを有するユーザ装置に関する。
【００１３】
本発明の他の態様は、キャリアアグリゲーションにより設定された複数のセルを介し基地局と無線チャネルを送受信する送受信部と、前記複数のセルでアップリンク制御チャネルを同時送信するイベントの発生に応答して、前記複数のセルでアップリンク制御チャネルが同時送信可能か判定する同時送信可否判定部と、前記複数のセルでアップリンク制御チャネルが同時送信可能である場合、前記複数のセルでアップリンク制御チャネルを同時送信するよう前記送受信部に指示し、前記複数のセルでアップリンク制御チャネルが同時送信可能でない場合、複信方式に応じた送信優先度に従って前記アップリンク制御チャネルの送信を制御する送信制御部とを有するユーザ装置に関する。
【発明の効果】
【００１４】
上記態様によると、セカンダリセルにおけるアップリンク制御チャネルの送信がサポートされている無線通信システムにおいて、複数のセルでアップリンク制御チャネルを同時送信することが可能になる。
【図面の簡単な説明】
【００１５】
【図１】図１は、本発明の一実施例による無線通信システムを概略的に示す図である。
【図２】図２は、本発明の一実施例による基地局間ＣＡにおけるセルグループを示す概略図である。
【図３】図３は、本発明の一実施例によるユーザ装置の構成を示す図である。
【図４】図４は、本発明の一実施例によるセル種別に応じた優先度を示す図である。
【図５】図５は、本発明の他の実施例によるユーザ装置の構成を示す図である。
【図６】図６は、本発明の他の実施例によるＰＵＣＣＨ送信処理を示すフロー図である。
【発明を実施するための形態】
【００１６】
以下、図面に基づいて本発明の実施の形態を説明する。
【００１７】
後述される実施例を概略すると、キャリアアグリゲーションを利用する無線通信システムにおいて、複数のセルでアップリンク制御チャネルを同時送信するイベントが発生すると、ユーザ装置は、送信対象のアップリンク制御チャネルを複数のセルで同時送信可能か判定する。送信対象のアップリンク制御チャネルを複数のセルで同時送信することが可能である場合、ユーザ装置は、送信対象のアップリンク制御チャネルを複数のセルを介し基地局に送信する。他方、送信対象のアップリンク制御チャネルを複数のセルで同時送信することが可能でない場合、ユーザ装置は、例えば、送信優先度の高いセルのアップリンク制御チャネルに相対的に大きな送信電力を割当て、送信優先度の低いセルのアップリンク制御チャネルに相対的に小さな送信電力を割り当てるか、又は送信を中止することによって、送信優先度に従ってアップリンク制御チャネルの送信を制御する。
【００１８】
当該送信優先度は、アップリンク制御チャネルの同時送信の対象となる各セルのセル種別及び／又は複信方式に基づく。セル種別としては、例えば、キャリアアグリゲーションでは、プライマリセル（ＰＣｅｌｌ）、Ｓｐｅｃｉａｌセカンダリセル（Ｓｐｅｃｉａｌ  ＳＣｅｌｌ）及びセカンダリセル（Ｎｏｒｍａｌ  ＳＣｅｌｌ）が使用され、ＰＣｅｌｌ＞Ｓｐｅｃｉａｌ  ＳＣｅｌｌ＞Ｎｏｒｍａｌ  ＳＣｅｌｌの順序で各セルの送信優先度が決定される。また、複信方式としては、例えば、周波数分割複信（ＦＤＤ）方式と時分割複信（ＴＤＤ）方式の２つがあり、これら２つの何れかの複信方式を優先させるよう各セルの送信優先度が決定される。
【００１９】
このようにして、送信対象のアップリンク制御チャネルを複数のセルで同時送信することが可能でない場合であっても、送信優先度に従ってアップリンク制御チャネルの同時送信が可能となり、送信優先度の高いセルのアップリンク制御チャネルが、送信優先度の低いセルのアップリンク制御チャネルより確実に基地局において受信されることが可能となる。
【００２０】
まず、図１を参照して、本発明の一実施例による無線通信システムを説明する。図１は、本発明の一実施例による無線通信システムを概略的に示す図である。
【００２１】
図１に示されるように、無線通信システム１０は、１以上の基地局（ｅＮＢ）５０と、１以上のユーザ装置（ＵＥ）１００とを有する。本実施例では、無線通信システム１０は、ＬＴＥ−Ａｄｖａｎｃｅｄシステムであるが、これに限定されることなく、キャリアアグリゲーションをサポートする何れか適切な無線通信システムであってもよい。
【００２２】
本実施例による無線通信システム１０では、単一の基地局５０がユーザ装置１００と通信するための複数のセルを提供し、これらのセルからプライマリセルとセカンダリセルとをユーザ装置１００に割当て、これらのセルを介しユーザ装置１００と通信する（基地局内キャリアアグリゲーション（Ｉｎｔｒａ−ｅＮＢ  ＣＡ））。
【００２３】
また、複数の基地局５０がユーザ装置１００と通信するための複数のセルを提供し、異なる基地局５０によりプライマリセルとセカンダリセルとがユーザ装置１００に割り当てられ、これらのセルを介しユーザ装置１００と通信する（基地局間キャリアアグリゲーション（Ｉｎｔｅｒ−ｅＮＢ  ＣＡ））。
【００２４】
Ｉｎｔｅｒ−ｅＮＢ  ＣＡにおいては、図２に示されるように、複数のＣＣをグループ化したセルグループ（ＣＧ）単位で制御が行われる。プライマリセル（ＰＣｅｌｌ）が含まれるＣＧはマスタＣＧ（Ｍａｓｔｅｒ−ＣＧ：ＭＣＧ）と呼ばれ、ＰＣｅｌｌが含まれないＣＧはセカンダリＣＧ（Ｓｅｃｏｎｄａｒｙ−ＣＧ：ＳＣＧ）と呼ばれる。ＣＧ内では複数のＣＣがＰＵＣＣＨをサポートしうる。図示されるように、ＳＣＧには、Ｓｐｅｃｉａｌ  ＳＣｅｌｌが設定されてもよい。Ｓｐｅｃｉａｌ  ＳＣｅｌｌは、例えば、ＣＢＲＡ（Ｃｏｎｔｅｎｔｉｏｎ  ｂａｓｅｄ  ＲＡＣＨ）をサポートするセカンダリセル、常時アクティブ化されているセカンダリセル（Ａｌｗａｙｓ  Ａｃｔｉｖａｔｅｄ  Ｓｅｃｏｎｄａｒｙ  Ｃｅｌｌ）などの所定のセカンダリセルである。
【００２５】
また、無線通信システム１０では、ＦＤＤ方式とＴＤＤ方式との２つの複信方式が併用され、１以上の基地局５０により提供される各セルは、これら２つの複信方式の何れかを用いてユーザ装置１００と通信する。
【００２６】
基地局５０は、ユーザ装置１００と無線接続することによって、通信接続された上位局やサーバ（図示せず）から受信したダウンリンクデータをユーザ装置１００に送信すると共に、ユーザ装置１００から受信したアップリンクデータを上位局（図示せず）に送信する。本実施例では、基地局５０は、ＬＴＥ−Ａｄｖａｎｃｅｄに準拠したｅＮＢであるが、これに限定されることなく、基地局内キャリアアグリゲーション及び基地局間キャリアアグリゲーションをサポートする何れか適切な基地局であってもよい。また、基地局５０は、ＦＤＤ方式とＴＤＤ方式との一方又は双方の複信方式に対応し、対応可能な複信方式により１以上のセルを提供する。本実施例では、基地局５０は、ＦＤＤ方式とＴＤＤ方式とを併用した基地局内キャリアアグリゲーション（ＦＤＤ＋ＴＤＤ  Ｉｎｔｒａ−ｅＮＢ  ＣＡ）と、ＦＤＤ方式とＴＤＤ方式とを併用した基地局間キャリアアグリゲーション（ＦＤＤ＋ＴＤＤ  Ｉｎｔｅｒ−ｅＮＢ  ＣＡ）とをサポートする。
【００２７】
ユーザ装置１００は、典型的には、携帯電話、スマートフォン、タブレット、モバイルルータなどであるが、これに限定されることなく、無線通信機能を備えた何れか適切なユーザ装置であってもよい。典型的なハードウェア構成では、ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、ユーザとやりとりするためのインタフェース装置などから構成される。後述されるユーザ装置１００の各機能は、通信装置及び／又はインタフェース装置を介し補助記憶装置に格納されているデータやプログラムをメモリ装置にロードし、ロードされたプログラムに従ってＣＰＵがデータを処理することによって実現される。
【００２８】
次に、図３を参照して、本発明の一実施例によるユーザ装置の構成を説明する。図３は、本発明の一実施例によるユーザ装置の構成を示す図である。
【００２９】
図３に示されるように、ユーザ装置１００は、送受信部１１０と、同時送信可否判定部１２０と、送信制御部１３０とを有する。本実施例では、送信制御部１３０は、セル種別判定部１３１を有する。
【００３０】
送受信部１１０は、基地局５０との間でアップリンク／ダウンリンク制御チャネルやアップリンク／ダウンリンクデータチャネルなどの各種無線チャネルを送受信する。ＬＴＥ−Ａｄｖａｎｃｅｄに準拠した無線通信システム１０では、ユーザ装置１００は、基地局５０からＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）を受信し、基地局５０にＰＲＡＣＨ（Ｐｈｙｓｉｃａｌ  Ｒａｎｄｏｍ  Ａｃｃｅｓｓ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）及びＳＲＳ（Ｓｏｕｎｄｉｎｇ  Ｒｅｆｅｒｅｎｃｅ  Ｓｙｍｂｏｌ）を送信する。
【００３１】
本実施例では、無線通信システム１０は、キャリアアグリゲーションをサポートしており、基地局５０は、ユーザ装置１００とプライマリセルとセカンダリセルとを介し通信可能である。例えば、基地局内キャリアアグリゲーションでは、単一の基地局５０が、自ら提供する複数のセルからプライマリセルとセカンダリセルとをユーザ装置１００に割当て、これらのセルを介しユーザ装置１００と通信する。この場合、送受信部１１０は、これらのセルを提供する基地局５０と各種無線チャネルをやりとりする。また、基地局間キャリアアグリゲーションでは、複数の基地局５０が、各自が提供するセルからプライマリセル又はセカンダリセルをユーザ装置１００に割当て、これらのセルを介しユーザ装置１００と通信する。この場合、送受信部１１０は、割り当てられたセルを提供する異なる基地局５０と各種無線チャネルをやりとりする。一般に、基地局間ＣＡでは、異なる基地局５０は、各自のスケジューラを利用して、自らが提供しているセルをユーザ装置１００に割り当てる。このため、各基地局５０は、パラレルにスケジューリング、送達確認、無線品質測定などのユーザ装置１００との通信処理を実行することになり、ＰＵＣＣＨ−ＳＲ、ＰＵＣＣＨ−ＡＣＫ／ＮＡＣＫ及びＰＵＣＣＨ−ＣＱＩなどのすべての上り制御情報（ＵＣＩ）の組み合わせが同時送信されることが想定される。ここで、ＰＵＣＣＨ−ＳＲは、ユーザ装置１００が基地局５０にスケジューリングリクエストを要求するためのアップリンク制御チャネルであり、ＰＵＣＣＨ−ＡＣＫ／ＮＡＣＫは、ユーザ装置１００が基地局５０からのデータチャネルの受信成否を報告するためのアップリンク制御チャネルであり、ＰＵＣＣＨ−ＣＱＩは、ユーザ装置１００が測定したＣＱＩ（Ｃｈａｎｎｅｌ  Ｑｕａｌｉｔｙ  Ｉｎｄｉｃａｔｏｒ）などの無線品質を基地局５０に報告するためのアップリンク制御チャネルである。
【００３２】
同時送信可否判定部１２０は、複数のセルでアップリンク制御チャネルを同時送信するイベントの発生に応答して、複数のセルでアップリンク制御チャネルが同時送信可能か判定する。当該同時送信イベントは、例えば、ユーザ装置１００が基地局５０にスケジューリングリクエストを要求するときであってもよい。あるいは、当該イベントは、ユーザ装置１００が基地局５０からデータチャネルを受信し、当該データチャネルの受信が成功したか否かの送達確認を送信するときであってもよい。あるいは、同時送信イベントは、ユーザ装置１００が基地局５０からＣＱＩなどの無線品質を測定し、測定した無線品質を報告することを要求されたとき、又は無線品質の定期的な送信タイミングであってもよい。
【００３３】
一実施例では、同時送信可否判定部１２０は、ユーザ装置１００が複数のセルを介しアップリンク制御チャネルを同時送信する機能を備えているか、又は当該機能が設定されているか判断することによって、同時送信が可能か判定してもよい。他の実施例では、同時送信可否判定部１２０は、ユーザ装置１００が同時送信のための送信電力を十分に確保できるか判断することによって、同時送信が可能か判定してもよい。同時送信可否判定部１２０は、判定結果を送信制御部１３０に通知する。
【００３４】
送信制御部１３０は、受信した同時送信可否判定の結果に従って、送受信部１１０によるアップリンク制御チャネルの送信を制御する。すなわち、複数のセルでアップリンク制御チャネルが同時送信可能である場合、送信制御部１３０は、複数のセルでアップリンク制御チャネルを同時送信するよう送受信部１１０に指示する。他方、複数のセルでアップリンク制御チャネルが同時送信可能でない場合、設定されている送信優先度に従ってアップリンク制御チャネルの送信を制御する。
【００３５】
一実施例では、複数のセルでアップリンク制御チャネルの同時送信イベントが発生したが、同時送信可否判定部１２０により同時送信可能でないと判定されると、送信制御部１３０は、設定されている送信優先度に従って、高い優先度のセルに相対的に大きな送信電力を割り当て、低い優先度のセルに相対的に小さな送信電力を割り当てるか、又は低い優先度のセルにおけるアップリンク制御チャネルの送信を中止する。
【００３６】
他の実施例では、送信制御部１３０は、低い優先度のセルにおいて送信するＰＵＣＣＨについて、重複部分の送信電力を低減するか、又は当該重複部分をドロップしてもよい。一般に、各セルからのサブフレームの送信タイミングは完全に一致してはおらず、これらのサブフレームは若干の時間差で各セルから送信される。このため、送信期間が重複していない部分については、上述した同時送信持の電力制御を受けないようにしてもよく、重複部分についてのみ電力低減が実行されるか、又は当該重複部分は送信しないようにしてもよい。
【００３７】
また、ＬＴＥ規格では、１つのサブフレームは２つのスロットから構成されることが規定されている。従って、送信制御部１３０は、低い優先度のセルにおいて送信するＰＵＣＣＨについて、一部でもシンボルが重複している場合、（サブフレーム単位でなく）スロット単位で送信電力を低減するようにしてもよい。これは、多くのＰＵＣＣＨはスロットに関して閉じて拡散されているため、重複しているシンボルのみ送信電力を低下させると、直交性が維持できなくなる一方、サブフレーム全体で送信電力を低下させると、受信品質が担保できなくなるためである。このため、直交性の維持と受信品質の担保との双方を両立させるため、送信電力制御部１３０は、重複するシンボルを含むスロットに対して、当該スロットの送信電力を低減するようにしてもよい。
【００３８】
図３に示される実施例では、送信制御部１３０は、セル種別判定部１３１を有し、セル種別判定部１３１により判定されたセル種別に基づき、セル種別に応じた送信優先度に従ってアップリンク制御チャネルの送信を制御する。
【００３９】
一実施例では、送信制御部１３０は、プライマリセル（ＰＣｅｌｌ）、Ｓｐｅｃｉａｌセカンダリセル（Ｓｐｅｃｉａｌ  ＳＣｅｌｌ）及びセカンダリセル（Ｎｏｒｍａｌ ＳＣｅｌｌ）の３つのセル種別に対して、ＰＣｅｌｌ＞Ｓｐｅｃｉａｌ  ＳＣｅｌｌ＞Ｎｏｒｍａｌ  ＳＣｅｌｌの送信優先度に従ってアップリンク制御チャネルを送信する。
【００４０】
Ｉｎｔｅｒ−ｅＮＢ  ＣＡにおいては、複数のＣＣをグループ化したセルグループ（ＣＧ）単位で通信制御が行われ、各ＣＧ内では複数のＣＣがＰＵＣＣＨをサポートする。図２を参照して上述したように、プライマリセルを含むＣＧとしてマスタＣＧ（ＭＣＧ）が設けられ、プライマリセルを含まないＣＧとしてセカンダリＣＧ（ＳＣＧ）が設けられる。また、ＳＣＧについては、Ｓｐｅｃｉａｌ  ＳＣｅｌｌが、ＣＢＲＡ（Ｃｏｎｔｅｎｔｉｏｎ  ｂａｓｅｄ  ＲＡＣＨ）をサポートするセカンダリセル、常時アクティブ化されているセカンダリセル（Ａｌｗａｙｓ  Ａｃｔｉｖａｔｅｄ  Ｓｅｃｏｎｄａｒｙ  Ｃｅｌｌ）などの所定のセカンダリセルとして設けられる。
【００４１】
これらのセルグループ間及び各種セル間について、ＰＵＣＣＨの送信優先度が規定されている。図４は、本発明の一実施例によるセル種別に応じた優先度を示す図である。図４には、ＭＣＧのＰＣｅｌｌ及びＳＣｅｌｌ（Ｎｏｒｍａｌ  ＳＣｅｌｌ）並びにＳＣＧのＳｐｅｃｉａｌ  Ｓｃｅｌｌ及びＳＣｅｌｌ（Ｎｏｒｍａｌ  ＳＣｅｌｌ）と、ＳＣＧのＳｐｅｃｉａｌ  ＳＣｅｌｌ及びＮｏｒｍａｌ  ＳＣｅｌｌとの間のセル種別に応じた優先関係が例示されている。
【００４２】
図４に示されるように、ＭＣＧのＰＣｅｌｌとＳＣＧのＳｐｅｃｉａｌ  ＳＣｅｌｌ及びＳＣｅｌｌ（Ｎｏｒｍａｌ  ＳＣｅｌｌ）との間では、ＰＣｅｌｌは、ＳＣＧのＳｐｅｃｉａｌ  ＳＣｅｌｌとＮｏｒｍａｌ  ＳＣｅｌｌの何れに対しても優先される。すなわち、ＰＣｅｌｌ及びＳｐｅｃｉａｌ  ＳＣｅｌｌ又はＮｏｒｍａｌ  ＳＣｅｌｌにおいてＰＵＣＣＨの同時送信イベントが発生したが、同時送信可否判定部１２０により同時送信可能でないと判定されると、送信制御部１３０は、ＭＣＧのＰＣｅｌｌにおけるＰＵＣＣＨの送信に相対的に大きな送信電力を割り当て、Ｓｐｅｃｉａｌ  ＳＣｅｌｌ及びＮｏｒｍａｌ  ＳＣｅｌｌにおけるＰＵＣＣＨの送信に相対的に小さな送信電力を割り当てるか、又は送信を中止することによって、Ｓｐｅｃｉａｌ  ＳＣｅｌｌ及びＮｏｒｍａｌ  ＳＣｅｌｌよりＰＣｅｌｌにおけるＰＵＣＣＨの送信を優先させる。
【００４３】
次に、ＭＣＧのＮｏｒｍａｌ  ＳＣｅｌｌとＳＣＧのＳｐｅｃｉａｌ  ＳＣｅｌｌとの間では、ＳＣＧのＳｐｅｃｉａｌ  ＳＣｅｌｌがＭＣＧのＮｏｒｍａｌ  ＳＣｅｌｌに対して優先される。すなわち、ＭＣＧのＮｏｒｍａｌ  ＳＣｅｌｌ及びＳＣＧのＳｐｅｃｉａｌ  ＳＣｅｌｌにおいてＰＵＣＣＨの同時送信イベントが発生したが、同時送信可否判定部１２０により同時送信可能でないと判定されると、送信制御部１３０は、ＳＣＧのＳｐｅｃｉａｌ  ＳＣｅｌｌにおけるＰＵＣＣＨの送信に相対的に大きな送信電力を割り当て、ＭＣＧのＮｏｒｍａｌ  ＳＣｅｌｌにおけるＰＵＣＣＨの送信に相対的に小さな送信電力を割り当てるか、又は送信を中止することによって、ＭＣＧのＮｏｒｍａｌ  ＳＣｅｌｌよりＳＣＧのＳｐｅｃｉａｌ  ＳＣｅｌｌにおけるＰＵＣＣＨの送信を優先させる。
【００４４】
次に、ＭＣＧのＮｏｒｍａｌ  ＳＣｅｌｌとＳＣＧのＮｏｒｍａｌ  ＳＣｅｌｌとの間では、ＳＣｅｌｌ間の所定の優先度に従ってＭＣＧのＮｏｒｍａｌ  ＳＣｅｌｌとＳＣＧのＮｏｒｍａｌ  ＳＣｅｌｌとの間の送信優先度が決定される。
【００４５】
一実施例では、ＭＣＧのＮｏｒｍａｌ  ＳＣｅｌｌとＳＣＧのＮｏｒｍａｌ  ＳＣｅｌｌとの間の送信優先度は、アップリンク制御チャネルの種別に従って予め規定されてもよい。ＬＴＥ−Ａｄｖａｎｃｅｄに準拠した無線通信システム１０では、例えば、ＰＵＣＣＨ−ＳＲ、ＰＵＣＣＨ−ＡＣＫ／ＮＡＣＫ及びＰＵＣＣＨ−ＣＱＩの３つのタイプのＰＵＣＣＨが、ユーザ装置１００から基地局５０に送信される。ＭＣＧのＮｏｒｍａｌ  ＳＣｅｌｌとＳＣＧのＮｏｒｍａｌ  ＳＣｅｌｌとから送信されるＰＵＣＣＨ−ＳＲ、ＰＵＣＣＨ−ＡＣＫ／ＮＡＣＫ及びＰＵＣＣＨ−ＣＱＩが、ＰＵＣＣＨ−ＳＲ＞ＰＵＣＣＨ−ＡＣＫ／ＮＡＣＫ＞ＰＵＣＣＨ−ＣＱＩの送信優先度により送信されるように、ＭＣＧのＮｏｒｍａｌ  ＳＣｅｌｌとＳＣＧのＮｏｒｍａｌ  ＳＣｅｌｌとの間の送信優先度が設定されてもよい。例えば、ユーザ装置１００が、ＭＣＧのＮｏｒｍａｌ  ＳＣｅｌｌにおいてＰＵＣＣＨ−ＡＣＫを送信し、ＳＣＧのＮｏｒｍａｌ  ＳＣｅｌｌにおいてＰＵＣＣＨ−ＣＱＩを送信する場合、送信制御部１３０は、ＳＣＧのＮｏｒｍａｌ  ＳＣｅｌｌにおけるＰＵＣＣＨ−ＣＱＩの送信よりＭＣＧのＮｏｒｍａｌ  ＳＣｅｌｌにおけるＰＵＣＣＨ−ＡＣＫの送信を優先させる。なお、本発明のアップリンク制御チャネルは、上述したＰＵＣＣＨ−ＳＲ、ＰＵＣＣＨ−ＡＣＫ／ＮＡＣＫ及びＰＵＣＣＨ−ＣＱＩに限定されるものでなく、他の何れかのタイプのアップリンク制御チャネルが利用されてもよい。このようなチャネル種別による送信優先度は、基本的には、基地局５０とユーザ装置１００との間の無線通信を実現する上でより重要性の高いアップリンク制御チャネルを優先して送信するよう規定されることが好ましい。
【００４６】
なお、上述したチャネル種別に基づくセカンダリセル間の送信優先度は、例えば、基地局５０とユーザ装置１００との間の通信状況に応じて動的に変更されてもよい。基地局５０とユーザ装置１００との間の典型的な無線通信では、ユーザ装置１００において何らかの通信需要が発生すると、ユーザ装置１００が、基地局５０にスケジューリングリクエストを送信する。スケジューリングの実行後、ユーザ装置１００と基地局５０との間で通信が開始される。このため、通信開始前のタイミングでは、ＰＵＣＣＨ−ＳＲの送信優先度が高くなるよう設定されてもよい。他方、通信開始後には、典型的には、ユーザ装置１００は、基地局５０からデータチャネルを受信したり、基地局５０にデータチャネルを送信する。このため、通信開始後には、ＰＵＣＣＨ−ＡＣＫ／ＮＡＣＫの送信優先度が高くなるよう設定されてもよい。また、ユーザ装置１００から報告されたＣＱＩが所定の閾値以下である場合、再送の可能性が高くなるため、ＰＵＣＣＨ−ＡＣＫ／ＮＡＣＫの送信優先度が高くなるよう設定されてもよい。また、測定されたＣＱＩの変動の大きさが所定の閾値以上であった場合、無線品質の変動に迅速に追従できるようにＰＵＣＣＨ−ＣＱＩの送信優先度が高くなるよう設定されてもよい。
【００４７】
また、上述したチャネル種別に基づくセカンダリセル間の送信優先度は、基地局５０から通知されてもよい。ＬＴＥ−Ａｄｖａｎｃｅｄに準拠した無線通信システム１０では、例えば、基地局５０が、送信対象のＰＵＣＣＨ−ＳＲ、ＰＵＣＣＨ−ＡＣＫ／ＮＡＣＫ及びＰＵＣＣＨ−ＣＱＩの間の送信優先度を設定し、ユーザ装置１００に通知してもよい。また、基地局５０は、ユーザ装置１００との通信状況に応じて優先度を動的に設定し、ユーザ装置１００に通知してもよい。例えば、多数のユーザ装置１００が基地局５０に接続している場合、基地局５０が特定の１つのタイプのＰＵＣＣＨ（ＰＵＣＣＨ−ＳＲなど）を集中的に受信することは好ましくないかもしれない。実際、多数のユーザ装置１００から一斉にＰＵＣＣＨ−ＳＲを受信すると、基地局５０は、スケジューリングに係る大きな処理負担を一時的に負うことになる。このような状況を回避するため、例えば、基地局５０は、接続中のユーザ装置１００を複数のグループに分け、グループ毎に異なる送信優先度を動的に設定するようにしてもよい。
【００４８】
他の実施例では、ＭＣＧのＮｏｒｍａｌ  ＳＣｅｌｌとＳＣＧのＮｏｒｍａｌ  ＳＣｅｌｌとの間の送信優先度は、各セカンダリセルの通信品質順、セカンダリセルのインデックス（ＳＣｅｌｌＩｎｄｅｘ）順などに従って設定されてもよい。ここで、ＳＣｅｌｌＩｎｄｅｘは、ユーザ装置１００にセカンダリセルが割り当てられる毎付与される。例えば、１番目に割り当てられたセカンダリセルにＳＣｅｌｌＩｎｄｅｘ＝１が付与され、２番目に割り当てられたセカンダリセルにＳＣｅｌｌＩｎｄｅｘ＝２が付与され、以降同様にＳＣｅｌｌＩｎｄｅｘが付与されるようにしてもよい。なお、上述したＭＣＧのＮｏｒｍａｌ  ＳＣｅｌｌとＳＣＧのＮｏｒｍａｌ  ＳＣｅｌｌとの間の送信優先度の各種設定は、単独で利用されてもよいし、組み合わせて利用されてもよい。
【００４９】
次に、ＳＣＧのＳｐｅｃｉａｌ  ＳＣｅｌｌ間では、上述したようなセカンダリセル間の送信優先度と同様にして、Ｓｐｅｃｉａｌ  ＳＣｅｌｌ間の送信優先度が決定される。すなわち、Ｓｐｅｃｉａｌ  ＳＣｅｌｌ間の送信優先度は、アップリンク制御チャネルの種別に従って予め規定されてもよいし、各セカンダリセルの通信品質順、セカンダリセルのインデックス（ＳＣｅｌｌＩｎｄｅｘ）順などに従って規定されてもよい。例えば、ユーザ装置１００が、一方のＳｐｅｃｉａｌ  ＳＣｅｌｌにおいてＰＵＣＣＨ−ＡＣＫを送信し、他方のＳｐｅｃｉａｌ  ＳＣｅｌｌにおいてＰＵＣＣＨ−ＣＱＩを送信する場合、送信制御部１３０は、ＰＵＣＣＨ−ＣＱＩの送信よりＰＵＣＣＨ−ＡＣＫの送信を優先させるようＳｐｅｃｉａｌ  ＳＣｅｌｌ間の送信優先度を決定してもよい。
【００５０】
次に、ＳＣＧのＳｐｅｃｉａｌ  ＳＣｅｌｌとＳＣＧのＮｏｒｍａｌ  ＳＣｅｌｌとの間では、Ｓｐｅｃｉａｌ  ＳＣｅｌｌは、Ｎｏｒｍａｌ  ＳＣｅｌｌに対して優先される。すなわち、Ｓｐｅｃｉａｌ  ＳＣｅｌｌ及びＮｏｒｍａｌ  ＳＣｅｌｌにおいてＰＵＣＣＨの同時送信イベントが発生したが、同時送信可否判定部１２０により同時送信可能でないと判定されると、送信制御部１３０は、Ｓｐｅｃｉａｌ  ＳＣｅｌｌにおけるＰＵＣＣＨの送信に相対的に大きな送信電力を割り当て、Ｎｏｒｍａｌ  ＳＣｅｌｌにおけるＰＵＣＣＨの送信に相対的に小さな送信電力を割り当てるか、又は送信を中止することによって、Ｎｏｒｍａｌ  ＳＣｅｌｌよりＳｐｅｃｉａｌ  ＳＣｅｌｌにおけるＰＵＣＣＨの送信を優先させる。
【００５１】
なお、ＳＣＧのＮｏｒｍａｌ  ＳＣｅｌｌ間の送信優先度については、上述したセカンダリセル間の送信優先度が利用される。
【００５２】
次に、図５を参照して、本発明の他の実施例によるユーザ装置の構成を説明する。図５は、本発明の他の実施例によるユーザ装置の構成を示す図である。
【００５３】
図５に示されるように、ユーザ装置１００は、送受信部１１０と、同時送信可否判定部１２０と、送信制御部１３０とを有する。本実施例では、送信制御部１３０は、複信方式判定部１３２を有する。
【００５４】
送受信部１１０及び同時送信可否判定部１２０は、図３に示されたものと同様であるが、本実施例による送受信部１１０は、ＦＤＤ方式とＴＤＤ方式とに従ってキャリアアグリゲーションにより設定された複数のセルを介し基地局５０との間で無線チャネルを送受信する。ＬＴＥでは、周波数分割複信（Ｆｒｅｑｕｅｎｃｙ  Ｄｉｖｉｓｉｏｎ  Ｄｕｐｌｅｘ：ＦＤＤ）方式と時分割複信（Ｔｉｍｅ  Ｄｉｖｉｓｉｏｎ  Ｄｕｐｌｅｘ：ＴＤＤ）方式との２つの複信方式（Ｄｕｐｌｅｘモード）が規定されている。ＦＤＤ方式では、アップリンク通信とダウンリンク通信とが互いに異なる周波数帯で実行され、ＴＤＤ方式では、アップリンク通信とダウンリンク通信とが同一の周波数帯を利用し、アップリンク通信とダウンリンク通信とが時間で分離される。ＴＤＤ方式では、アップリンク／ダウンリンクに割り当てられる時間比率は１：１に限定されず、異なる比率が利用可能である。Ｄｕｐｌｅｘモード間の切り替えは、異周波ハンドオーバにより実行可能である。
【００５５】
図５に示される実施例では、送信制御部１３０は、複信方式判定部１３２を有し、複信方式判定部１３２により判定された複信方式に基づき、当該複信方式に応じた送信優先度に従ってアップリンク制御チャネルの送信を制御する。すなわち、複信方式判定部１３２は、アップリンク制御チャネルの同時送信の対象となる各セルにおいて適用されている通信方式がＦＤＤ方式とＴＤＤ方式との何れであるか判定する。送信制御部１３０は、判定結果に基づきセル間の送信優先度を決定し、決定されたセル間の送信優先度に従ってアップリンク制御チャネルの送信を制御する。
【００５６】
一実施例では、送信制御部１３０は、ＴＤＤが適用されているセル（ＴＤＤセル）に対してＦＤＤが適用されているセル（ＦＤＤセル）におけるアップリンク制御チャネルの送信を優先させる。ＦＤＤセルは、ＬＴＥで既に広く普及しているｄｕｐｌｅｘ  ｍｏｄｅのセルであり、コアバンドとして運用されていることが想定され、ユーザ装置１００と基地局５０との間の接続性を担保するためのＰｃｅｌｌとして用いられる可能性が高い。これは、ＰＣｅｌｌにおいてユーザ装置１００から送信されたアップリンク制御チャネルが受信できなくなると、ユーザ装置１００と基地局５０との間の接続性に影響が生じる可能性があるためである。
【００５７】
他の実施例では、送信制御部１３０は、ＦＤＤセルに対してＴＤＤセルにおけるアップリンク制御チャネルの送信を優先させる。通信経路を時間軸で区分し、送信と受信とを切り替えることにより送受信を実現するＴＤＤでは、ダウンリンク通信とアップリンク通信とに対して異なる比率（ＤＬ／ＵＬ比率）で通信経路が割り当てられ、典型的にはアップリンク通信は相対的に短い時間が割り当てられる。このようにＴＤＤセルでは、アップリンク送信タイミングは希少なものになるため、送信制御部１３０は、ＴＤＤセルにおけるアップリンク制御チャネルの送信を優先させるようにしてもよい。なお、ＤＬ／ＵＬ比率は、ネットワーク側から指定されるＴＤＤ  ｃｏｎｆｉｇｕｒａｔｉｏｎによって決定される。このため、送信制御部１３０はさらに、アップリンク送信タイミングの機会の相対的な多寡に応じてＴＤＤセルにおける送信優先度を調整してもよい。例えば、送信制御部１３０は、アップリンク送信タイミングが相対的に少ないＴＤＤ  ｃｏｎｆｉｇｕｒａｔｉｏｎに対して、より高い送信電力を割り当てるなど、より高い送信優先度によりＴＤＤセルにおけるアップリンク制御チャネルを送信してもよい。
【００５８】
次に、図６を参照して、本発明の一実施例によるユーザ装置におけるアップリンク制御チャネルの同時送信処理を説明する。図６は、本発明の一実施例によるＰＵＣＣＨ送信処理を示すフロー図である。
【００５９】
図６に示されるように、ステップＳ１０１において、ユーザ装置１００は、複数のセルでＰＵＣＣＨを同時送信する何れかのイベントを検知する。当該イベントは、例えば、ユーザ装置１００が基地局５０にスケジューリングリクエストを要求するときであってもよいし、ユーザ装置１００が基地局５０からデータチャネルを受信し、当該データチャネルの受信が成功したか否かの送達確認を送信するときであってもよいし、ユーザ装置１００が基地局５０からＣＱＩなどの無線品質を測定し、測定した無線品質を報告することを要求されたときであってもよい。
【００６０】
ステップＳ１０２において、当該イベントに応答して、同時送信可否判定部１２０は、複数のセルでＰＵＣＣＨが同時送信可能か判定する。一実施例では、同時送信可否判定部１２０は、ユーザ装置１００が複数のセルを介しＰＵＣＣＨを同時送信する機能が設定されているか判断することによって、同時送信が可能か判定してもよい。他の実施例では、同時送信可否判定部１２０は、ユーザ装置１００が同時送信するための送信電力を十分に確保できるか判断することによって、同時送信が可能か判定してもよい。
【００６１】
複数のセルでＰＵＣＣＨが同時送信可能であると判定された場合（Ｓ１０２：Ｙ）、当該フローはステップＳ１０３に移行し、送信制御部１３０は、送受信部１１０に複数のセルでＰＵＣＣＨを同時送信するよう指示する。
【００６２】
他方、複数のセルでＰＵＣＣＨが同時送信可能でないと判定された場合（Ｓ１０２：Ｎ）、当該フローはステップＳ１０４に移行し、送信制御部１３０は、送信対象のＰＵＣＣＨを送信優先度に従って優先順位付けし、送受信部１１０に優先順位に従って基地局５０にＰＵＣＣＨを送信するよう指示する。
【００６３】
一実施例では、送信制御部１３０は、各セルのセル種別を判定し、セル種別に応じた送信優先度に従って当該セルにおけるＰＵＣＣＨの送信を制御する。例えば、送信制御部１３０は、ＰＣｅｌｌ、Ｓｐｅｃｉａｌ  ＳＣｅｌｌ及びＮｏｒｍａｌ  Ｓｃｅｌｌの順序の送信優先度に従って、これらのセルにおけるＰＵＣＣＨの送信を優先順位付けしてもよい。
【００６４】
また、他の実施例では、送信制御部１３０は、各セルに適用されている複信方式を決定し、決定した複信方式に応じた送信優先度に従って当該セルにおけるＰＵＣＣＨの送信を制御する。例えば、送信制御部１３０は、複信方式に応じた所定の送信優先度に従って、ＦＤＤセルを優先させてもよいし、ＴＤＤセルを優先させてもよい。また、ＴＤＤでは、ネットワーク側により指定されたＴＤＤ  ｃｏｎｆｉｇｕｒａｔｉｏｎに応じてアップリンク送信タイミングが異なる。このため、アップリンク送信タイミングの機会が相対的に少ないＴＤＤ  ｃｏｎｆｉｇｕｒａｔｉｏｎがＴＤＤセルに設定されている場合、アップリンク送信タイミングの多寡に応じてＴＤＤセルにおけるＰＵＣＣＨの送信優先度を調整してもよい。
【００６５】
送信制御部１３０は、上述した実施例の何れかに従ってＰＵＣＣＨを同時送信する各セルの送信優先度を決定すると、より高い優先度のセルに対してより大きな送信電力を割り当て、より低い優先度のセルに対してより小さな送信電力を割り当てるか、又は当該セルの送信を中止する。あるいは、送信制御部１３０は、より低い優先度のセルにおいて送信するＰＵＣＣＨについて、重複部分がある場合、当該重複部分についてのみ送信電力を低減してもよいし、又は当該重複部分をドロップしてもよい。また、送信制御部１３０は、より低い優先度のセルにおいて送信するＰＵＣＣＨについて、重複するシンボルがある場合、当該重複シンボルを含むスロットの送信電力を低減するようにしてもよい。
【００６６】
このようにして送信電力を割り当てると、送信制御部１３０は、同時送信対象の各セルに対して割り当てられた送信電力によりＰＵＣＣＨを送信するよう送受信部１１０を制御する。
【００６７】
また、Ｉｎｔｅｒ−ｅＮＢ  ＣＡにおいて複数のｅＮＢと通信を行う際、ｅＮＢの組み合わせによって送信優先度が異なっていてもよい。
【００６８】
なお、上述した実施例では、セル種別に応じた送信優先度と複信方式に応じた送信優先度との２つの送信優先度が個別に適用された。しかしながら、本発明は、これに限定されるものでなく、セル種別に応じた送信優先度と複信方式に応じた送信優先度とを組み合わせることによって、各セルの送信優先度を決定してもよい。例えば、複数のＳｐｅｃｉａｌ  ＳＣｅｌｌ又は複数のＳＣｅｌｌがアップリンク制御チャネルの同時送信の対象となっている場合、優先される複信方式に応じてＳｐｅｃｉａｌ  ＳＣｅｌｌ間又はＳＣｅｌｌ間の優先度が決定されてもよい。
【００６９】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００７０】
１０  無線通信システム
５０  基地局
１００  ユーザ装置
１１０  送受信部
１２０  同時送信可否判定部
１３０  送信制御部
１３１  セル種別判定部
１３２  複信方式判定部
【図１】
2015142349.tif 000003
【図２】
2015142349.tif 000004
【図３】
2015142349.tif 000005
【図４】
2015142349.tif 000006
【図５】
2015142349.tif 000007
【図６】
2015142349.tif 000008